(57)【要約】【課題】表示装置のコストを低減しつつ、表示装置を利用者に渡す際の使い易さを向上する。【解決手段】表示装置２は、表示面（Ａ）２ａと、表示面（Ａ）２ａと反対の方向を向いている表示面（Ｂ）２ｂと、表示面（Ａ）２ａおよび表示面（Ｂ）２ｂのうち、特定の方向を向いている表示面を検出する検出部２ｃと、検出部２ｃが検出した表示面を通知する通知部２ｄと、通知部２ｄが通知した表示面に基づいて表示面（Ａ）２ａに対応付けられた表面用画像または裏面用画像の一方と、通知部２ｄが通知した表示面に基づいて表示面（Ｂ）２ｂに対応付けられた表面用画像または裏面用画像の他方とを受信する受信部２ｅと、受信部２ｅが受信した表面用画像および裏面用画像をそれぞれ、対応付けられている表示面（Ａ）２ａまたは表示面（Ｂ）２ｂに表示させる表示制御部２ｆと、を有する。【選択図】図１
2013140267.tif 000002
【特許請求の範囲】
【請求項１】
第１の表示面と、
前記第１の表示面と反対の方向を向いている第２の表示面と、
前記第１および第２の表示面のうち、特定の方向を向いている表示面を検出する検出部と、
前記検出部が検出した表示面を通知する通知部と、
前記通知部が通知した表示面に基づいて前記第１の表示面に対応付けられた表面用画像または裏面用画像の一方と、前記通知部が通知した表示面に基づいて前記第２の表示面に対応付けられた表面用画像または裏面用画像の他方とを受信する受信部と、
前記受信部が受信した表面用画像および裏面用画像をそれぞれ、対応付けられている前記第１または第２の表示面に表示させる表示制御部と、
を有することを特徴とする表示装置。
【請求項２】
前記通知部は、自装置を識別する識別情報を通知し、
前記受信部は、前記通知部が通知した識別情報に対応付けられた表面用画像および裏面用画像を受信すること、
を特徴とする請求項１記載の表示装置。
【請求項３】
前記第１および第２の表示面は、表示した画像を保持する機能を備えていること、
を特徴とする請求項１または２記載の表示装置。
【請求項４】
前記検出部は、三次元加速度センサーを用いて、前記第１および第２の表示面のうち、前記特定の方向を向いている表示面を検出すること、
を特徴とする請求項１〜３のいずれか１項に記載の表示装置。
【請求項５】
第１の表示面と前記第１の表示面と反対の方向を向いている第２の表示面とを有する表示装置と、書き換え装置とを含み、
前記表示装置は、前記第１および第２の表示面のうち、特定の方向を向いている表示面を検出する検出部と、前記検出部が検出した表示面を前記書き換え装置に通知する通知部と、前記書き換え装置から送信された表面用画像および裏面用画像を受信する受信部と、前記受信部が受信した表面用画像および裏面用画像をそれぞれ、対応付けられている前記第１または第２の表示面に表示させる表示制御部と、を有し、
前記書き換え装置は、前記通知部によって通知された表示面に基づいて表面用画像または裏面用画像の一方を前記第１の表示面に対応付け、前記通知部によって通知された表示面に基づいて表面用画像または裏面用画像の他方を前記第２の表示面に対応付けて、前記表示装置に送信する、
ことを特徴とする表示システム。
【請求項６】
第１の表示面と、前記第１の表示面と反対の方向を向いている第２の表示面とを有する表示装置が、
前記第１および第２の表示面のうち、特定の方向を向いている表示面を検出し、
検出した表示面を通知し、
通知した表示面に基づいて前記第１の表示面に対応付けられた表面用画像または裏面用画像の一方と、通知した表示面に基づいて前記第２の表示面に対応付けられた表面用画像または裏面用画像の他方とを受信し、
受信した表面用画像および裏面用画像をそれぞれ、対応付けられている前記第１または第２の表示面に表示させる、
ことを特徴とする表示方法。
【請求項７】
第１の表示面と、前記第１の表示面と反対の方向を向いている第２の表示面とを有する表示装置に、
前記第１および第２の表示面のうち、特定の方向を向いている表示面を検出し、
検出した表示面を通知し、
通知した表示面に基づいて前記第１の表示面に対応付けられた表面用画像または裏面用画像の一方と、通知した表示面に基づいて前記第２の表示面に対応付けられた表面用画像または裏面用画像の他方とを受信し、
受信した表面用画像および裏面用画像をそれぞれ、対応付けられている前記第１または第２の表示面に表示させる、
処理を実行させることを特徴とする表示制御プログラム。
【発明の詳細な説明】
【技術分野】
【０００１】
本件は、表示装置、表示システム、表示方法、および、表示制御プログラムに関する。
【背景技術】
【０００２】
例えば、病院や展示会場等では、案内情報を利用者に提示する持ち運び可能な媒体として、紙に替えて電子ペーパー等を組み込んだ表示装置が用いられることがある。このような表示装置の中には、紙に近い運用を可能とするため、表裏の両方に表示面を有するものがある。一方の表示面には、例えば、目的地までの経路等の主の情報が表示され、他方の表示面には、例えば、注意事項等の副の情報が表示される。
【０００３】
このような表示装置を用いた運用では、例えば、係員は、主の情報が表示された表示面が表側になるようにして、表示装置を利用者に手渡す。そのため、表示装置が、例えば、主の情報が表示された表示面が裏側となる状態で所定の場所にストックされている場合には、係員は、表示装置をストック場所から取り出した後、主の情報が表示された表示面が表側となるように表裏反転させてから利用者に手渡す必要がある。
【先行技術文献】
【特許文献】
【０００４】
【特許文献１】特開２０１０−１５６７８１号公報
【発明の概要】
【発明が解決しようとする課題】
【０００５】
これに対して、表示装置を利用者に手渡す際の使い易さを向上するため、例えば、一方の表示面と他方の表示面との間で、表示される画像を入れ替える機能を表示装置に内蔵させることが考えられる。しかしながら、この場合、表示装置のコストが増大してしまう可能性がある。例えば、病院や展示会場等では、多数の表示装置が用いられるため、システム全体のコストが大幅に増大してしまう可能性がある。
【０００６】
このような点に鑑み、開示の表示装置、表示システム、表示方法、および、表示制御プログラムでは、表示装置のコストを低減しつつ、表示装置を利用者に渡す際の使い易さを向上することを目的とする。
【課題を解決するための手段】
【０００７】
上記目的を達成するために以下のような表示装置、表示システム、表示方法、および、表示制御プログラムが提供される。
この表示装置は、第１の表示面と、第１の表示面と反対の方向を向いている第２の表示面と、第１および第２の表示面のうち、特定の方向を向いている表示面を検出する検出部と、検出部が検出した表示面を通知する通知部と、通知部が通知した表示面に基づいて第１の表示面に対応付けられた表面用画像または裏面用画像の一方と、通知部が通知した表示面に基づいて第２の表示面に対応付けられた表面用画像または裏面用画像の他方とを受信する受信部と、受信部が受信した表面用画像および裏面用画像をそれぞれ、対応付けられている第１または第２の表示面に表示させる表示制御部と、を有する。
【０００８】
また、この表示システムは、第１の表示面と第１の表示面と反対の方向を向いている第２の表示面とを有する表示装置と、書き換え装置とを含み、表示装置は、第１および第２の表示面のうち、特定の方向を向いている表示面を検出する検出部と、検出部が検出した表示面を書き換え装置に通知する通知部と、書き換え装置から送信された表面用画像および裏面用画像を受信する受信部と、受信部が受信した表面用画像および裏面用画像をそれぞれ、対応付けられている第１または第２の表示面に表示させる表示制御部と、を有し、書き換え装置は、通知部によって通知された表示面に基づいて表面用画像または裏面用画像の一方を第１の表示面に対応付け、通知部によって通知された表示面に基づいて表面用画像または裏面用画像の他方を第２の表示面に対応付けて、表示装置に送信する。
【０００９】
また、この表示方法は、第１の表示面と、第１の表示面と反対の方向を向いている第２の表示面とを有する表示装置が、第１および第２の表示面のうち、特定の方向を向いている表示面を検出し、検出した表示面を通知し、通知した表示面に基づいて第１の表示面に対応付けられた表面用画像または裏面用画像の一方と、通知した表示面に基づいて第２の表示面に対応付けられた表面用画像または裏面用画像の他方とを受信し、受信した表面用画像および裏面用画像をそれぞれ、対応付けられている第１または第２の表示面に表示させる。
【００１０】
また、この表示制御プログラムは、第１の表示面と、第１の表示面と反対の方向を向いている第２の表示面とを有する表示装置に、第１および第２の表示面のうち、特定の方向を向いている表示面を検出し、検出した表示面を通知し、通知した表示面に基づいて第１の表示面に対応付けられた表面用画像または裏面用画像の一方と、通知した表示面に基づいて第２の表示面に対応付けられた表面用画像または裏面用画像の他方とを受信し、受信した表面用画像および裏面用画像をそれぞれ、対応付けられている第１または第２の表示面に表示させる、処理を実行させる。
【発明の効果】
【００１１】
開示の表示装置、表示システム、表示方法、および、表示制御プログラムによれば、表示装置のコストを低減しつつ、表示装置を利用者に渡す際の使い易さを向上することが可能となる。
【図面の簡単な説明】
【００１２】
【図１】第１の実施の形態に係る表示システムの一例を示す図である。
【図２】第２の実施の形態に係る表示システムの一例を示す図である。
【図３】第２の実施の形態に係る表示装置の構造の一例を示す図である。
【図４】第２の実施の形態に係る表示装置のハードウェアの一例を示す図である。
【図５】第２の実施の形態に係る書き換え装置のハードウェアの一例を示す図である。
【図６】第２の実施の形態に係る表示システムの機能の一例を示す図である。
【図７】第２の実施の形態に係る行先ＩＤテーブルの一例を示す図である。
【図８】第２の実施の形態に係る行先毎画像ＩＤテーブルの一例を示す図である。
【図９】第２の実施の形態に係る表示中情報テーブルの一例を示す図である。
【図１０】第２の実施の形態に係る表面用画像テーブルの一例を示す図である。
【図１１】第２の実施の形態に係る裏面用画像テーブルの一例を示す図である。
【図１２】第２の実施の形態に係る書き換え装置による画像の書き換え手順の一例を示すフローチャートである。
【図１３】第２の実施の形態に係る書き換え装置による画像の書き換え手順の一例を示すフローチャートである。
【図１４】第２の実施の形態に係る書き換え装置による画像の書き換え手順の一例を示すフローチャートである。
【図１５】第２の実施の形態に係る書き換え装置が送信または受信する信号の一例を示す図である。
【図１６】第２の実施の形態に係る表示装置による画像の書き換え手順の一例を示すフローチャートである。
【図１７】第２の実施の形態に係る書き換え動作の例を示す図である。
【図１８】第２の実施の形態に係る書き換え動作の例を示す図である。
【図１９】第２の実施の形態に係る書き換え動作の例を示す図である。
【図２０】第２の実施の形態に係る書き換え動作の例を示す図である。
【発明を実施するための形態】
【００１３】
以下、実施の形態を図面を参照して説明する。
［第１の実施の形態］
図１は、第１の実施の形態に係る表示システムの一例を示す図である。
【００１４】
表示システム１は、表示装置２と、書き換え装置３とを含んでいる。表示装置２は、例えば、板状であり、表示面（Ａ）２ａと、表示面（Ａ）２ａとは反対の方向を向いている表示面（Ｂ）２ｂとを有している。
【００１５】
表示装置２は、さらに、検出部２ｃと、通知部２ｄと、受信部２ｅと、表示制御部２ｆとを有している。検出部２ｃは、表示面（Ａ）２ａおよび表示面（Ｂ）２ｂのうち、特定の方向を向いている表示面を検出する。特定の方向は、例えば、上方向である。ここで、上方向とは、鉛直線における上方向を指す。検出部２ｃは、例えば、三次元加速度センサーを用いて、特定の方向を向いている表示面を検出する。
【００１６】
通知部２ｄは、検出部２ｃが検出した表示面を、書き換え装置３に通知する。受信部２ｅは、書き換え装置３から送信された表面用画像および裏面用画像を受信する。例えば、表面用画像は、主の情報を含み、裏面用画像は、副の情報を含む。表示制御部２ｆは、受信部２ｅが受信した表面用画像および裏面用画像をそれぞれ、対応付けられている表示面（Ａ）２ａまたは表示面（Ｂ）２ｂに表示させる。
【００１７】
書き換え装置３は、表示装置２の通知部２ｄによって通知された表示面に基づいて、表面用画像または裏面用画像の一方を表示面（Ａ）２ａに対応付け、通知部２ｄによって通知された表示面に基づいて、表面用画像または裏面用画像の他方を表示面（Ｂ）２ｂに対応付けて、表示装置２に送信する。
【００１８】
次に、表示システム１による表示手順について説明する。なお、ここでは、表示装置２は、表示面（Ｂ）２ｂが上方向を向いた状態で、所定の場所にストックされているものとする。また、検出部２ｃが検出する特定の方向は、上方向に設定されているものとする。
【００１９】
まず、検出部２ｃが、表示面（Ａ）２ａおよび表示面（Ｂ）２ｂのうち、上方向を向いている表示面を検出する。ここでは、検出部２ｃは、表示面（Ｂ）２ｂを検出する。
次に、通知部２ｄが、検出部２ｃが検出した表示面を、書き換え装置３に通知する。ここでは、通知部２ｄは、表示面（Ｂ）２ｂを書き換え装置３に通知する。
【００２０】
次に、書き換え装置３が、表示装置２の通知部２ｄによって通知された表示面に基づいて、表面用画像または裏面用画像の一方を表示面（Ａ）２ａに対応付け、通知部２ｄによって通知された表示面に基づいて、表面用画像または裏面用画像の他方を表示面（Ｂ）２ｂに対応付けて、表示装置２に送信する。ここでは、書き換え装置３は、表面用画像を表示面（Ｂ）２ｂに対応付け、裏面用画像を表示面（Ａ）２ａに対応付けて、表示装置２に送信する。
【００２１】
次に、受信部２ｅが、書き換え装置３から送信された表面用画像および裏面用画像を受信する。次に、表示制御部２ｆが、受信部２ｅが受信した表面用画像および裏面用画像をそれぞれ、対応付けられている表示面（Ａ）２ａまたは表示面（Ｂ）２ｂに表示させる。ここでは、表示制御部２ｆは、裏面用画像を表示面（Ａ）２ａに表示させ、表面用画像を表示面（Ｂ）２ｂに表示させる。
【００２２】
このように、表示システム１によれば、例えば、検出部２ｃが検出する特定の方向を上方向に設定し、書き換え装置３が、表面用画像を通知部２ｄによって通知された表示面に対応付け、裏面用画像を通知部２ｄによって通知された表示面とは反対側の面に対応付けて、表示装置に送信することで、表示面（Ａ）２ａおよび表示面（Ｂ）２ｂのうち、上方向を向いている表示面に表面用画像を表示させ、下方向を向いている表示面に裏面用画像を表示させることが可能となる。
【００２３】
このため、例えば、表示装置２が、所定の場所に不規則な向きでストックされていたとしても、係員がストック場所から表示装置２を取り出して利用者に手渡す際、表示装置２を上下反転させる必要がなくなるため、表示装置２を利用者に手渡す際の使い易さを向上することが可能となる。
【００２４】
また、表示システム１によれば、表示装置２は、単に、書き換え装置３から受信した表面用画像および裏面用画像をそれぞれ、対応付けられている表示面（Ａ）２ａまたは表示面（Ｂ）２ｂに表示させることで、上方向を向いている表示面に表面用画像を表示させ、下方向を向いている表示面に裏面用画像を表示させることが可能となる。
【００２５】
すなわち、表示システム１では、表示装置２に対して、例えば、表示面（Ａ）２ａと表示面（Ｂ）２ｂとの間で表示される画像を入れ替える等の大掛かりな機能の追加を必要としないため、表示装置２のコストを低減することが可能となる。
【００２６】
［第２の実施の形態］
次に、第２の実施の形態について説明する。
図２は、第２の実施の形態に係る表示システムの一例を示す図である。
【００２７】
表示システム１０は、例えば、病院や展示会場等で用いられる。表示システム１０は、複数の表示装置１１と、書き換え装置１３とを含んでいる。表示装置１１は、表裏にそれぞれ表示面を有している。表示装置１１は、収納箱１２内にストックされている。
【００２８】
表示装置１１は、収納箱１２内において、表示面の一方が上方向を向くようにして重ねられている。ここで、上方向とは、鉛直線における上方向を指す。書き換え装置１３は、無線通信によって、収納箱１２内に収納されている表示装置１１に対して、表示画像の書き換えを実行する。なお、表示装置１１は自装置だけでは画像書き換えを実行できない。
【００２９】
表示装置１１を用いた運用として、係員は、書き換え装置１３によって表示画像が書き換えられた表示装置１１を、収納箱１２から取り出して利用者に手渡す。また、他の運用として、利用者が、収納箱１２から直接、表示装置１１を取り出すこともある。
【００３０】
図３は、第２の実施の形態に係る表示装置の構造の一例を示す図である。図３（Ａ）は、表示面２１ａが表側になっている状態の外観図であり、図３（Ｂ）は、表示面２２ａが表側になっている状態の外観図であり、図３（Ｃ）は、表示装置１１の断面図である。
【００３１】
表示装置１１は、表示面２１ａを備えた薄い板状の電子ペーパー２１と、表示面２２ａを備えた薄い板状の電子ペーパー２２とを有している。電子ペーパー２１，２２は、表示面２１ａ，２２ａがそれぞれ外側を向くようにして、対向配置されている。
【００３２】
電子ペーパー２１，２２は、表示していた画像を、電力の供給が停止した後も表示し続けることができる。電子ペーパー２１，２２は、例えば、対向する透明な基板間に液晶が挟まれた構造を有し、この液晶に光が反射することで、画像が表示される。具体的には、対向する透明な基板にはそれぞれ透明な電極が形成され、この電極に電圧をかけることで、液晶分子の向きが変わり、光の反射が変化することで画像が表示される。そして、電極にかけた電圧を切った後も、液晶分子の向きが変わらないため、画像がそのまま表示保持される。液晶には、例えば、コレステリック液晶が用いられる。
【００３３】
さらに、電子ペーパー２１と電子ペーパー２２との間には、ＲＦＩＤ（Radio Frequency IDentification）タグ２３と、三次元加速度センサー２４とが設けられている。ＲＦＩＤタグ２３は、書き換え装置１３との間で、無線通信により情報の送受信を実行する。また、ＲＦＩＤタグ２３は、電子ペーパー２１，２２の表示面２１ａ，２２ａに画像を表示させる。三次元加速度センサー２４は、加速度を検出する。
【００３４】
図４は、第２の実施の形態に係る表示装置のハードウェアの一例を示す図である。
表示装置１１は、ＲＦＩＤタグ２３と、電子ペーパー２１，２２と、三次元加速度センサー２４とを有している。ＲＦＩＤタグ２３は、コントローラ２３ａと、アンテナ２３ｂとを有している。
【００３５】
アンテナ２３ｂは、コントローラ２３ａから送られてきた情報を、無線通信によって書き換え装置１３に送信する。また、アンテナ２３ｂは、書き換え装置１３から無線通信によって情報を受信し、受信した情報をコントローラ２３ａに送出する。電子ペーパー２１，２２は、コントローラ２３ａの命令に従って画像を表示する。三次元加速度センサー２４は、コントローラ２３ａの命令に従って加速度を検出する。
【００３６】
図５は、第２の実施の形態に係る書き換え装置のハードウェアの一例を示す図である。
書き換え装置１３は、ＣＰＵ（Central Processing Unit）３１によって装置全体が制御されている。ＣＰＵ３１には、バス３７を介してＲＡＭ（Random Access Memory）３２と複数の周辺機器が接続されている。
【００３７】
ＲＡＭ３２は、書き換え装置１３の主記憶装置として使用される。ＲＡＭ３２には、ＣＰＵ３１に実行させるＯＳ（Operating System）のプログラムやアプリケーションプログラムの少なくとも一部が一時的に格納される。また、ＲＡＭ３２には、ＣＰＵ３１による処理に必要な各種データが格納される。
【００３８】
バス３７に接続されている周辺機器としては、ハードディスクドライブ（ＨＤＤ:Hard Disk Drive）３３、ディスプレイ３４、タッチパネル３５、および、ＲＦＩＤリーダライタ３６がある。
【００３９】
ＨＤＤ３３は、内蔵したディスクに対して、磁気的にデータの書き込みおよび読み出しを行う。ＨＤＤ３３は、書き換え装置１３の二次記憶装置として使用される。ＨＤＤ３３には、ＯＳのプログラム、アプリケーションプログラム、および各種データが格納される。なお、二次記憶装置としては、フラッシュメモリ等の半導体記憶装置を使用することもできる。
【００４０】
ディスプレイ３４は、ＣＰＵ３１からの命令に従って画像を表示する。ディスプレイ３４としては、ＣＲＴ（Cathode Ray Tube）を用いた表示装置や液晶表示装置等がある。タッチパネル３５は、ディスプレイ３４の上面に配置されており、ディスプレイ３４に表示された画像は、タッチパネル３５を透過し、利用者に視認される。タッチパネル３５は、タッチ操作を受け付けると、信号をＣＰＵ３１に送信する。
【００４１】
ＲＦＩＤリーダライタ３６は、ＣＰＵ３１からの命令に従って、無線通信によってＲＦＩＤタグ２３から情報を受信し、受信した情報をＣＰＵ３１に送出する。また、ＲＦＩＤリーダライタ３６は、ＣＰＵ３１からの命令に従って、ＣＰＵ３１から送られてきた情報を、無線通信によってＲＦＩＤタグ２３に送信する。
【００４２】
図６は、第２の実施の形態に係る表示システムの機能の一例を示す図である。
表示装置１１は、検出部４１と、通知部４２と、受信部４３と、電子ペーパー２１，２２に接続された表示制御部４４と、タグＩＤ格納部４５とを有している。タグＩＤ格納部４５には、ＲＦＩＤタグ２３を識別するタグＩＤが格納されている。
【００４３】
検出部４１は、三次元加速度センサー２４を用いて、電子ペーパー２１，２２の各表示面２１ａ，２２ａのうち、上方向を向いている表示面を検出する。なお、表示面２１ａ，２２ａは、表示システム１０において、識別子（Ａ），（Ｂ）によってそれぞれ識別される。
【００４４】
通知部４２は、検出部４１が検出した表示面、および、タグＩＤ格納部４５に格納されているタグＩＤを、無線通信によって外部に通知する。受信部４３は、無線通信によって外部から画像を受信する。表示制御部４４は、受信部４３が受信した画像を、表示面２１ａ，２２ａのうち対応付けられている表示面に表示させる。
【００４５】
書き換え装置１３は、制御部５１と、行先ＩＤ格納部５２と、行先毎画像ＩＤ格納部５３と、表示中情報格納部５４と、表面用画像格納部５５と、裏面用画像格納部５６とを有している。
【００４６】
行先ＩＤ格納部５２には、例えば、病院や展示会場等の施設内での行先を識別する行先ＩＤが格納されている。行先毎画像ＩＤ格納部５３には、行先ＩＤ毎に、対応する表面用画像を識別する表面用画像ＩＤと、対応する裏面用画像を識別する裏面用画像ＩＤとが格納されている。
【００４７】
表示中情報格納部５４には、タグＩＤ毎に、選択された行先ＩＤと、表面用画像が書き込まれた表示面と、最終更新日時とが格納されている。表面用画像格納部５５には、表面用画像ＩＤ毎に、画像名と、表面用画像とが格納されている。表面用画像には、例えば、目的地までの経路等の主の情報が含まれている。裏面用画像格納部５６には、裏面用画像ＩＤ毎に、画像名と、裏面用画像とが格納されている。裏面用画像には、例えば、注意事項等の副の情報が含まれている。
【００４８】
制御部５１は、表示装置１１との間で、無線通信によって情報の送受信を行う。また、制御部５１は、行先ＩＤ格納部５２、行先毎画像ＩＤ格納部５３、表示中情報格納部５４、表面用画像格納部５５、および、裏面用画像格納部５６から、情報を取得する。また、制御部５１は、表示中情報格納部５４に格納されている情報を更新する。
【００４９】
図７は、第２の実施の形態に係る行先ＩＤテーブルの一例を示す図である。
行先ＩＤ格納部５２に格納される行先ＩＤテーブル５２ａには、施設内での行先を識別する行先ＩＤが格納されている。行先ＩＤテーブル５２ａは、病院内を例としたものである。行先ＩＤは、診療科目毎に設定されている。例えば、識別ＩＤ「Ｇ０００１」は、内科を示している。
【００５０】
図８は、第２の実施の形態に係る行先毎画像ＩＤテーブルの一例を示す図である。
行先毎画像ＩＤ格納部５３に格納される行先毎画像ＩＤテーブル５３ａには、行先ＩＤ毎に、対応する表面用画像を識別する表面用画像ＩＤと、対応する裏面用画像を識別する裏面用画像ＩＤとが格納されている。例えば、行先ＩＤ「Ｇ０００１」には、表面用画像ＩＤ「ＴＩ０００１」と、裏面用画像ＩＤ「ＢＩ０００１」とが対応付けられている。
【００５１】
図９は、第２の実施の形態に係る表示中情報テーブルの一例を示す図である。
表示中情報格納部５４に格納される表示中情報テーブル５４ａには、タグＩＤ毎に、選択された行先ＩＤと、表面用画像が書き込まれた表示面（表面用画像書込面）と、最終更新日時とが格納されている。なお、行先ＩＤおよび表面用画像書込面について、該当する情報がない場合には、それぞれ「ＮＵＬＬ」が格納される。
【００５２】
例えば、タグＩＤ「ＴＧ０００１」については、選択された行先ＩＤが「Ｇ０００２」であり、表面用画像書込面が表示面（Ａ）である。すなわち、これは、タグＩＤ「ＴＧ０００１」のＲＦＩＤタグ２３が搭載された表示装置１１において、表面用画像が表示面（Ａ）に表示されていることを示す。
【００５３】
図１０は、第２の実施の形態に係る表面用画像テーブルの一例を示す図である。
表面用画像格納部５５に格納される表面用画像テーブル５５ａには、表面用画像ＩＤ毎に、画像名と、表面用画像とが格納されている。例えば、表面用画像ＩＤ「ＴＩ０００１」の画像名は、「ルート１」である。
【００５４】
図１１は、第２の実施の形態に係る裏面用画像テーブルの一例を示す図である。
裏面用画像格納部５６に格納される裏面用画像テーブル５６ａには、裏面用画像ＩＤ毎に、画像名と、裏面用画像とが格納されている。例えば、裏面用画像ＩＤ「ＢＩ０００１」の画像名は、「注意１」である。
【００５５】
次に、書き換え装置１３による画像の書き換え手順について説明する。
図１２〜図１４は、第２の実施の形態に係る書き換え装置による画像の書き換え手順の一例を示すフローチャートである。図１５は、第２の実施の形態に係る書き換え装置が送信または受信する信号の一例を示す図である。以下、図１２〜図１４に示すフローチャートに沿って、適宜、図１５を参照して、説明を行う。
【００５６】
図１２〜図１４に示す処理は、例えば、タッチパネル３５のタッチ操作によって、行先が選択されることで開始される。なお、表示装置１１は、収納箱１２にストックされているものとする。
【００５７】
［ステップＳ１１］制御部５１が、表示装置１１に対して読取要求信号を送信する。これに応答して、表示装置１１から読取応答信号が送信される。図１５（Ａ）は、読取応答信号の一例である。読取応答信号には、タグＩＤと、上方向を向いている表示面（現在上面）とが含まれている。上方向を向いている表示面は、表示装置１１の検出部４１によって検出される。
【００５８】
図１５（Ａ）では、タグＩＤが、「ＴＧ０００２」であり、現在上面が表示面（Ａ）である。すなわち、これは、読取応答信号の送信元の表示装置１１が、タグＩＤが「ＴＧ０００２」であるＲＦＩＤタグ２３を搭載し、表示面（Ａ）が上方向を向いた状態で収納箱１２に収納されていることを示す。
【００５９】
［ステップＳ１２］制御部５１が、表示装置１１から、読取応答信号を受信したかどうかを判定する。読取応答信号を受信した場合（ステップＳ１２のＹＥＳ）、制御部５１は、処理をステップＳ１３に進める。読取応答信号を受信しない場合（ステップＳ１２のＮＯ）、制御部５１は、処理をステップＳ１１に戻す。
【００６０】
［ステップＳ１３］制御部５１が、受信した読取応答信号から、タグＩＤおよび現在上面を取得する。
［ステップＳ１４］制御部５１が、選択された行先を示す行先ＩＤを、行先ＩＤテーブルから取得する。このステップで取得した行先ＩＤを、今回行先ＩＤとする。
【００６１】
［ステップＳ１５］制御部５１が、表示中情報テーブルから、取得したタグＩＤに対応する行先ＩＤおよび表面用画像書込面を取得する。このステップで取得した行先ＩＤを、前回行先ＩＤとする。
【００６２】
［ステップＳ１６］制御部５１が、取得した現在上面が、取得した表面用画像書込面であるかどうかを判定する。現在上面が表面用画像書込面である場合（ステップＳ１６のＹＥＳ）、制御部５１は、処理をステップＳ１７に進める。現在上面が表面用画像書込面ではない場合（ステップＳ１６のＮＯ）、制御部５１は、処理をステップＳ２６に進める。
【００６３】
［ステップＳ１７］制御部５１が、取得した今回行先ＩＤが、取得した前回行先ＩＤと同じかどうかを判定する。同じである場合（ステップＳ１７のＹＥＳ）、制御部５１は、処理をステップＳ１８に進める。同じではない場合（ステップＳ１７のＮＯ）、制御部５１は、処理をステップＳ１９に進める。
【００６４】
［ステップＳ１８］制御部５１が、図１５（Ｂ）に示すように、表示面（Ａ）用の画像情報（Ａ面画像情報）に「ＮＵＬＬ」を格納し、表示面（Ｂ）用の画像情報（Ｂ面画像情報）に「ＮＵＬＬ」を格納した書き換え信号を、表示装置１１に送信して処理をステップＳ３１に進める。
【００６５】
［ステップＳ１９］制御部５１が、行先毎画像ＩＤテーブルから、取得した今回行先ＩＤに対応する表面用画像ＩＤおよび裏面用画像ＩＤを取得する。このステップで取得した表面用画像ＩＤおよび裏面用画像ＩＤを、今回表面用画像ＩＤおよび今回裏面用画像ＩＤとする。
【００６６】
［ステップＳ２０］制御部５１が、行先毎画像ＩＤテーブルから、取得した前回行先ＩＤに対応する表面用画像ＩＤおよび裏面用画像ＩＤを取得する。このステップで取得した表面用画像ＩＤおよび裏面用画像ＩＤを、前回表面用画像ＩＤおよび前回裏面用画像ＩＤとする。
【００６７】
［ステップＳ２１］制御部５１が、取得した今回裏面用画像ＩＤが、取得した前回裏面用画像ＩＤと同じかどうかを判定する。同じ場合（ステップＳ２１のＹＥＳ）、制御部５１は、処理をステップＳ２２に進める。同じではない場合（ステップＳ２１のＮＯ）、制御部５１は、処理をステップＳ２７に進める。
【００６８】
［ステップＳ２２］制御部５１が、表面用画像テーブルから、取得した今回表面用画像ＩＤに対応する表面用画像を取得する。
［ステップＳ２３］制御部５１が、取得した現在上面が、表示面（Ａ）であるかどうかを判定する。表示面（Ａ）である場合（ステップＳ２３のＹＥＳ）、制御部５１は、処理をステップＳ２４に進める。表示面（Ａ）ではない場合（ステップＳ２３のＮＯ）、制御部５１は、処理をステップＳ２５に進める。
【００６９】
［ステップＳ２４］制御部５１が、図１５（Ｃ）に示すように、Ａ面画像情報に取得した表面用画像を格納し、Ｂ面画像情報に「ＮＵＬＬ」を格納した書き換え信号を、表示装置１１に送信して処理をステップＳ３１に進める。
【００７０】
［ステップＳ２５］制御部５１が、図１５（Ｄ）に示すように、Ａ面画像情報に「ＮＵＬＬ」を格納し、Ｂ面画像情報に取得した表面用画像を格納した書き換え信号を、表示装置１１に送信して処理をステップＳ３１に進める。
【００７１】
［ステップＳ２６］制御部５１が、行先毎画像ＩＤテーブルから、取得した今回行先ＩＤに対応する表面用画像ＩＤおよび裏面用画像ＩＤを取得する。このステップで取得した表面用画像ＩＤおよび裏面用画像ＩＤを、今回表面用画像ＩＤおよび今回裏面用画像ＩＤとする。
【００７２】
［ステップＳ２７］制御部５１が、表面用画像テーブルから、取得した今回表面用画像ＩＤに対応する表面用画像を取得する。さらに、制御部５１が、裏面用画像テーブルから、取得した今回裏面用画像ＩＤに対応する裏面用画像を取得する。
【００７３】
［ステップＳ２８］制御部５１が、取得した現在上面が、表示面（Ａ）であるかどうかを判定する。表示面（Ａ）である場合（ステップＳ２８のＹＥＳ）、制御部５１は、処理をステップＳ２９に進める。表示面（Ａ）ではない場合（ステップＳ２８のＮＯ）、制御部５１は、処理をステップＳ３０に進める。
【００７４】
［ステップＳ２９］制御部５１が、図１５（Ｅ）に示すように、Ａ面画像情報に取得した表面用画像を格納し、Ｂ面画像情報に取得した裏面用画像を格納した書き換え信号を、表示装置１１に送信して処理をステップＳ３１に進める。
【００７５】
［ステップＳ３０］制御部５１が、図１５（Ｆ）に示すように、Ａ面画像情報に取得した裏面用画像を格納し、Ｂ面画像情報に取得した表面用画像を格納した書き換え信号を、表示装置１１に送信して処理をステップＳ３１に進める。
【００７６】
［ステップＳ３１］制御部５１が、表示装置１１から、書き換え応答信号を受信したかどうかを判定する。書き換え応答信号を受信した場合（ステップＳ３１のＹＥＳ）、制御部５１は、処理をステップＳ３２に進める。書き換え応答信号を受信しない場合（ステップＳ３１のＮＯ）、制御部５１は、ステップＳ３１を繰り返す。
【００７７】
［ステップＳ３２］制御部５１が、表示中情報テーブルを更新して処理を終了する。すなわち、制御部５１は、表示中情報テーブルに対して、該当するタグＩＤの行先ＩＤに、取得した今回行先ＩＤを格納する。さらに、制御部５１は、表示中情報テーブルに対して、該当するタグＩＤの表面用画像書込面に、書き換え信号によって送信した表面用画像が対応付けられている表示面を格納する。なお、表面用画像を送信しない場合、制御部５１は、表面用画像書込面を更新しない。
【００７８】
次に、表示装置１１による画像の書き換え手順について説明する。
図１６は、第２の実施の形態に係る表示装置による画像の書き換え手順の一例を示すフローチャートである。図１６に示す処理は、受信部４３が、書き換え装置１３の制御部５１から、読取要求信号を受信することで開始される。
【００７９】
［ステップＳ４１］検出部４１が、表示面（Ａ）、（Ｂ）のうち、上方向を向いている表示面を検出する。
［ステップＳ４２］通知部４２が、検出部４１によって検出された表示面（現在上面）、および、タグＩＤ格納部４５に格納されているタグＩＤを含んだ読取応答信号を、制御部５１に送信する。
【００８０】
［ステップＳ４３］受信部４３が、制御部５１から書き換え信号を受信したかどうかを判定する。書き換え信号を受信した場合（ステップＳ４３のＹＥＳ）、受信部４３は、処理をステップＳ４４に進める。書き換え信号を受信しない場合（ステップＳ４３のＮＯ）、受信部４３は、ステップＳ４３を繰り返す。
【００８１】
［ステップＳ４４］表示制御部４４が、受信部４３によって受信された書き換え信号のＡ面画像情報が「ＮＵＬＬ」であるかどうかを判定する。「ＮＵＬＬ」である場合（ステップＳ４４のＹＥＳ）、表示制御部４４は、処理をステップＳ４６に進める。「ＮＵＬＬ」ではない場合（ステップＳ４４のＮＯ）、表示制御部４４は、処理をステップＳ４５に進める。
【００８２】
［ステップＳ４５］表示制御部４４が、受信部４３によって受信された書き換え信号のＡ面画像情報に格納されている画像を、表示面（Ａ）に表示させる。
［ステップＳ４６］表示制御部４４が、受信部４３によって受信された書き換え信号のＢ面画像情報が「ＮＵＬＬ」であるかどうかを判定する。「ＮＵＬＬ」である場合（ステップＳ４６のＹＥＳ）、表示制御部４４は、処理をステップＳ４８に進める。「ＮＵＬＬ」ではない場合（ステップＳ４６のＮＯ）、表示制御部４４は、処理をステップＳ４７に進める。
【００８３】
［ステップＳ４７］表示制御部４４が、受信部４３によって受信された書き換え信号のＢ面画像情報に格納されている画像を、表示面（Ｂ）に表示させる。
［ステップＳ４８］通知部４２が、書き換え応答信号を制御部５１に送信して処理を終了する。
【００８４】
次に、書き換え動作の例について説明する。
図１７〜図２０は、第２の実施の形態に係る書き換え動作の例を示す図である。
この例では、図１７に示すように、収納箱１２に、表示装置１１ａ，１１ｂ，１１ｃ，１１ｄ，１１ｅ・・・がストックされている。なお、表示装置１１ａ〜１１ｅは、識別子（１）〜（５）により、表示システム１０においてそれぞれ識別される。
【００８５】
図１８、図１９は、ストック状態における、各表示装置（１）〜（５）の上面および下面の表示画像の一例を示すものである。表示装置（１）では、「内科」までの経路が示された主の情報を含む表面用画像が上面に表示され、注意事項が示された副の情報を含む裏面用画像が下面に表示されている。
【００８６】
表示装置（２）では、「外科」までの経路が示された主の情報を含む表面用画像が下面に表示され、注意事項が示された副の情報を含む裏面用画像が上面に表示されている。表示装置（３）では、「外科」までの経路が示された主の情報を含む表面用画像が上面に表示され、注意事項が示された副の情報を含む裏面用画像が下面に表示されている。
【００８７】
表示装置（４）では、「整形外科」までの経路が示された主の情報を含む表面用画像が上面に表示され、注意事項が示された副の情報を含む裏面用画像が下面に表示されている。表示装置（５）では、「外科」までの経路が示された主の情報を含む表面用画像が下面に表示され、注意事項が示された副の情報を含む裏面用画像が上面に表示されている。
【００８８】
図２０に示すように、表示装置（１）には、タグＩＤが「ＴＧ０００２」であるＲＦＩＤタグが搭載され、表示装置（２）には、タグＩＤが「ＴＧ０００５」であるＲＦＩＤタグが搭載され、表示装置（３）には、タグＩＤが「ＴＧ０００３」であるＲＦＩＤタグが搭載され、表示装置（４）には、タグＩＤが「ＴＧ０００４」であるＲＦＩＤタグが搭載され、表示装置（５）には、タグＩＤが「ＴＧ０００１」であるＲＦＩＤタグが搭載されている。
【００８９】
表示装置（１）は、ストック状態において、表示面（Ａ）に表示された画像のＩＤ（Ａ面表示画像ＩＤ）が「ＢＩ０００１」であり、表示面（Ｂ）に表示された画像のＩＤ（Ｂ面表示画像ＩＤ）が「ＴＩ０００１」であり、最後の案内先が「内科」であり、表面用画像書込面が表示面（Ｂ）であり、上面が表示面（Ｂ）である。
【００９０】
すなわち、表示装置（１）は、表示面（Ａ）が下方向を向き、表示面（Ｂ）が上方向を向くようにして収納箱１２にストックされ、表示面（Ａ）に画像ＩＤが「ＢＩ０００１」である裏面用画像が書き込まれ、表示面（Ｂ）に画像ＩＤが「ＴＩ０００１」である表面用画像が書き込まれている。
【００９１】
この状態から、案内先に「外科」が選択され、画像の書き換え処理が実行された場合（書き換え状態）、表面用画像書込面は表示面（Ｂ）となり、Ａ面表示画像は「ＢＩ０００２」となり、表示面（Ａ）の変更の要否（Ａ面変更）は「要」となり、Ｂ面表示画像は「ＴＩ０００２」となり、表示面（Ｂ）の変更の要否（Ｂ面変更）は「要」となる。
【００９２】
すなわち、下方向を向いている表示面（Ａ）には、画像ＩＤが「ＢＩ０００２」である裏面用画像が書き込まれ、上方向を向いている表示面（Ｂ）には、画像ＩＤが「ＴＩ０００２」である表面用画像が書き込まれる。
【００９３】
表示装置（２）は、ストック状態において、Ａ面表示画像ＩＤが「ＴＩ０００２」であり、Ｂ面表示画像ＩＤが「ＢＩ０００２」であり、最後の案内先が「外科」であり、表面用画像書込面が表示面（Ａ）であり、上面が表示面（Ｂ）である。
【００９４】
すなわち、表示装置（２）は、表示面（Ａ）が下方向を向き、表示面（Ｂ）が上方向を向くようにして収納箱１２にストックされ、表示面（Ａ）に画像ＩＤが「ＴＩ０００２」である表面用画像が書き込まれ、表示面（Ｂ）に画像ＩＤが「ＢＩ０００２」である裏面用画像が書き込まれている。
【００９５】
この状態から、案内先に「内科」が選択され、画像の書き換え処理が実行された場合、表面用画像書込面は表示面（Ｂ）となり、Ａ面表示画像は「ＢＩ０００１」となり、Ａ面変更は「要」となり、Ｂ面表示画像は「ＴＩ０００１」となり、Ｂ面変更は「要」となる。
【００９６】
すなわち、下方向を向いている表示面（Ａ）には、画像ＩＤが「ＢＩ０００１」である裏面用画像が書き込まれ、上方向を向いている表示面（Ｂ）には、画像ＩＤが「ＴＩ０００１」である表面用画像が書き込まれる。
【００９７】
表示装置（３）は、ストック状態において、Ａ面表示画像ＩＤが「ＢＩ０００２」であり、Ｂ面表示画像ＩＤが「ＴＩ０００２」であり、最後の案内先が「外科」であり、表面用画像書込面が表示面（Ｂ）であり、上面が表示面（Ｂ）である。
【００９８】
すなわち、表示装置（３）は、表示面（Ａ）が下方向を向き、表示面（Ｂ）が上方向を向くようにして収納箱１２にストックされ、表示面（Ａ）に画像ＩＤが「ＢＩ０００２」である裏面用画像が書き込まれ、表示面（Ｂ）に画像ＩＤが「ＴＩ０００２」である表面用画像が書き込まれている。
【００９９】
この状態から、案内先に「外科」が選択され、画像の書き換え処理が実行された場合、表面用画像書込面は表示面（Ｂ）となり、Ａ面表示画像は「ＢＩ０００２」となり、Ａ面変更は「不要」となり、Ｂ面表示画像は「ＴＩ０００２」となり、Ｂ面変更は「不要」となる。
【０１００】
すなわち、下方向を向いている表示面（Ａ）には、画像ＩＤが「ＢＩ０００２」である裏面用画像が書き換えられずにそのまま表示され、上方向を向いている表示面（Ｂ）には、画像ＩＤが「ＴＩ０００２」である表面用画像が書き換えられずにそのまま表示される。
【０１０１】
表示装置（４）は、ストック状態において、Ａ面表示画像ＩＤが「ＴＩ０００７」であり、Ｂ面表示画像ＩＤが「ＢＩ０００２」であり、最後の案内先が「整形外科」であり、表面用画像書込面が表示面（Ａ）であり、上面が表示面（Ａ）である。
【０１０２】
すなわち、表示装置（４）は、表示面（Ａ）が上方向を向き、表示面（Ｂ）が下方向を向くようにして収納箱１２にストックされ、表示面（Ａ）に画像ＩＤが「ＴＩ０００７」である表面用画像が書き込まれ、表示面（Ｂ）に画像ＩＤが「ＢＩ０００２」である裏面用画像が書き込まれている。
【０１０３】
この状態から、案内先に「外科」が選択され、画像の書き換え処理が実行された場合、表面用画像書込面は表示面（Ａ）となり、Ａ面表示画像は「ＴＩ０００２」となり、Ａ面変更は「要」となり、Ｂ面表示画像は「ＢＩ０００２」となり、Ｂ面変更は「不要」となる。
【０１０４】
すなわち、上方向を向いている表示面（Ａ）には、画像ＩＤが「ＴＩ０００２」である表面用画像が書き込まれ、下方向を向いている表示面（Ｂ）には、画像ＩＤが「ＢＩ０００２」である裏面用画像が書き換えられずにそのまま表示される。
【０１０５】
表示装置（５）は、ストック状態において、Ａ面表示画像ＩＤが「ＴＩ０００２」であり、Ｂ面表示画像ＩＤが「ＢＩ０００２」であり、最後の案内先が「外科」であり、表面用画像書込面が表示面（Ａ）であり、上面が表示面（Ｂ）である。
【０１０６】
すなわち、表示装置（５）は、表示面（Ｂ）が上方向を向き、表示面（Ａ）が下方向を向くようにして収納箱１２にストックされ、表示面（Ａ）に画像ＩＤが「ＴＩ０００２」である表面用画像が書き込まれ、表示面（Ｂ）に画像ＩＤが「ＢＩ０００２」である裏面用画像が書き込まれている。
【０１０７】
この状態から、案内先に「内科」が選択され、画像の書き換え処理が実行された場合、表面用画像書込面は表示面（Ｂ）となり、Ａ面表示画像は「ＢＩ０００１」となり、Ａ面変更は「要」となり、Ｂ面表示画像は「ＴＩ０００１」となり、Ｂ面変更は「要」となる。
【０１０８】
すなわち、下方向を向いている表示面（Ａ）には、画像ＩＤが「ＢＩ０００１」である裏面用画像が書き込まれ、上方向を向いている表示面（Ｂ）には、画像ＩＤが「ＴＩ０００１」である表面用画像が書き込まれる。
【０１０９】
このように、表示システム１０によれば、表示装置１１の表示面（Ａ）および表示面（Ｂ）のうち、上方向を向いている表示面に表面用画像を表示させ、下方向を向いている表示面に裏面用画像を表示させることが可能となる。
【０１１０】
このため、例えば、表示装置１１が、収納箱１２に不規則な向きでストックされていたとしても、係員がストック場所から表示装置１１を取り出して利用者に手渡す際、表示装置１１を上下反転させる必要がなくなるため、表示装置１１を利用者に手渡す際の使い易さを向上することが可能となる。
【０１１１】
また、表示システム１０によれば、表示装置１１は、単に、書き換え装置１３から受信した表面用画像および裏面用画像をそれぞれ、対応付けられている表示面（Ａ）または表示面（Ｂ）に表示させることで、上方向を向いている表示面に表面用画像を表示させ、下方向を向いている表示面に裏面用画像を表示させることが可能となる。
【０１１２】
すなわち、表示システム１０では、表示装置１１に対して、例えば、表示面（Ａ）と表示面（Ｂ）との間で表示される画像を入れ替える等の大掛かりな機能の追加を必要としないため、表示装置１１のコストを低減することが可能となる。表示システム１０において、多数の表示装置１１が用いられている場合は、表示装置１１のコストを低減することで、表示システム１０のコストを大幅に低減することが可能となる。
【０１１３】
なお、上記の処理機能は、コンピュータによって実現することができる。その場合、表示装置２，１１および書き換え装置３，１３が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ（Digital Versatile Disc）、ＤＶＤ−ＲＡＭ、ＣＤ−ＲＯＭ（Compact Disc Read Only Memory）／ＲＷ（ReWritable）等がある。光磁気記録媒体には、ＭＯ（Magneto-Optical disk）等がある。
【０１１４】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１１５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１１６】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【０１１７】
１  表示システム
２  表示装置
２ａ  表示面（Ａ）
２ｂ  表示面（Ｂ）
２ｃ  検出部
２ｄ  通知部
２ｅ  受信部
２ｆ  表示制御部
３  書き換え装置
【図１】
2013140267.tif 000003
【図２】
2013140267.tif 000004
【図３】
2013140267.tif 000005
【図４】
2013140267.tif 000006
【図５】
2013140267.tif 000007
【図６】
2013140267.tif 000008
【図７】
2013140267.tif 000009
【図８】
2013140267.tif 000010
【図９】
2013140267.tif 000011
【図１０】
2013140267.tif 000012
【図１１】
2013140267.tif 000013
【図１２】
2013140267.tif 000014
【図１３】
2013140267.tif 000015
【図１４】
2013140267.tif 000016
【図１５】
2013140267.tif 000017
【図１６】
2013140267.tif 000018
【図１７】
2013140267.tif 000019
【図１８】
2013140267.tif 000020
【図１９】
2013140267.tif 000021
【図２０】
2013140267.tif 000022